【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
コインの外径より広く開口し、該コインを任意の姿勢状態で投入可能なコイン投入口と、該コイン投入口の辺部から下方に向かうに従って漸次狭窄する誘導部と、該誘導部の下端部で下方に向かって開口するコイン供給口とを有するコイン投入部と、
該コイン投入部の下方位置に設けられ、前記コイン供給口から供給された任意の姿勢状態のコインを所定の姿勢状態に変更すると共に、該コインの受け入れを認識する投入コイン認識手段と、を備えた遊技機において、
前記コイン投入部の誘導部は、
互いに対向する側壁面がコインの投入方向に対してそれぞれ異なる傾斜角をもって傾斜するようにしたことを特徴とする遊技機。
【請求項２】
前記コイン投入部のコイン投入口は略矩形状を有し、上方に向かって開口形成され、
前記コイン投入部の誘導部は、前記コイン投入口から下方に移行するにしたがって漸次互いに接近する一対の傾斜側壁面と、該一対の傾斜側壁面の互いに対向する一端側を連結し、前記コイン投入口から投入された前記コインを受ける受け壁面と、該一対の傾斜側壁面の互いに対向する他端側を連結し、該受け壁面に対向配置される奥壁面とを有することを特徴とする請求項１に記載の遊技機。
【請求項３】
前記一対の傾斜側壁面、前記受け壁面および前記奥壁面のコイン投入方向に対する各々の傾斜角は相互に異なっていることを特徴とする請求項２に記載の遊技機。
【請求項４】
前記コイン供給口は、前記コインの外径より若干大きい径で開口形成され、コイン投入部の下端部分を１枚のコインが通過できる程度の窮屈な形状としたことを特徴とする請求項１〜３のいずれか１項に記載の遊技機。
【請求項５】
前記誘導部の互いに対向する側壁面の少なくとも一方は、前記投入口の辺部から下方に所定の距離だけコインの投入方向に対して所定の傾斜角をもって移行し、該所定の距離まで到達してから前記誘導部の下端部までは該所定の傾斜角と異なる傾斜角をもって移行するようにしたことを特徴とする請求項１〜４のいずれか１項に記載の遊技機。
【手続補正２】
【補正対象書類名】明細書
【補正対象項目名】０００９
【補正方法】変更
【補正の内容】
【０００９】
【特許文献１】特開２００３−２１７００１号公報
【特許文献２】特開２００３−７９８０５号公報
【特許文献３】特開２００３−２４５４０６号公報
【手続補正３】
【補正対象書類名】明細書
【補正対象項目名】００１５
【補正方法】変更
【補正の内容】
【００１５】
上記課題を解決する請求項１に記載した遊技機１の発明は、コインＭの外径より広く開口し、該コインＭを任意の姿勢状態で投入可能なコイン投入口４１ａと、該コイン投入口４１ａの辺部から下方に向かうに従って漸次狭窄する誘導部４１ｂと、該誘導部４１ｂの下端部で下方に向かって開口するコイン供給口４１ｃとを有するコイン投入部４１と、該コイン投入部４１の下方位置に設けられ、コイン供給口４１ｃから供給された任意の姿勢状態のコインＭを所定の姿勢状態に変更すると共に、該コインＭの受け入れを認識する投入コイン認識手段４２、４３、５０とを備えた遊技機１において、コイン投入部４１の誘導部４１ｂは、互いに対向する側壁面４１ｄ、４１ｅ、４１ｆ、４１ｇがコインＭの投入方向に対してそれぞれ異なる傾斜角をもって傾斜するようにしたことを特徴とする。
【手続補正４】
【補正対象書類名】明細書
【補正対象項目名】００１６
【補正方法】変更
【補正の内容】
【００１６】
請求項１に記載の発明によれば、コイン投入部４１はコイン投入口４１ａからコイン供給口４１ｃに移行するに従って狭窄するロート状に形成され、且つコイン供給口４１ｃがコイン投入口４１ａに対して所定方向に偏倚して形成されている。これにより、複数枚のコインＭが任意の姿勢状態でまとめて投入されると、各コインＭは該コインＭの当接する誘導部４１ｂの傾斜角に応じて互いに異なる方向にはね返って、互いに異なる速度でコイン供給口４１ｃへ向けて集まるように誘導することができる。よって、コイン供給口４１ｃでコインＭの誘導方向先端部同士の接触等が生じると、誘導速度に違いによりコインＭに作用する力のバランスが崩れているので、かかる接触等を崩すことができる。したがって、コイン供給口４１ｃから迅速且つ円滑にコインＭを下流側の投入コイン認識手段４２、４３、５０へ送り出すことができるので、投入コイン認識手段４２、４３、５０による認識を迅速且つ適切に行わせることができる。
【手続補正５】
【補正対象書類名】明細書
【補正対象項目名】００１７
【補正方法】変更
【補正の内容】
【００１７】
請求項２に記載の発明は、請求項１に記載した遊技機１において、コイン投入部４１のコイン投入口４１ａは略矩形状を有し、上方に向かって開口形成され、コイン投入部４１の誘導部４１ｂは、コイン投入口４１ａから下方に移行するにしたがって漸次互いに接近する一対の傾斜側壁面４１ｄ、４１ｅと、該一対の傾斜側壁面４１ｄ、４１ｅの互いに対向する一端側を連結し、コイン投入口４１ａから投入されたコインＭを受ける受け壁面４１ｆと、該一対の傾斜側壁面４１ｄ、４１ｅの互いに対向する他端側を連結し、該受け壁面４１ｆに対向配置される奥壁面４１ｇとを有することを特徴とする。
【手続補正６】
【補正対象書類名】明細書
【補正対象項目名】００１８
【補正方法】変更
【補正の内容】
【００１８】
請求項２に記載の発明は、本発明者の鋭意研究によって好ましいコイン投入部４１の形状を見出したものである。これによれば、コイン投入口４１ａの上方から任意の姿勢状態で所定の拡散状態をもって投入される複数枚のコインＭを受け壁面４１ｆ上で積極的に傾倒した姿勢状態にし、一対の傾斜側壁面４１ｄ、４１ｅと協働してコインＭを円滑にコイン供給口４１ｃに誘導することができる。したがって、投入コイン認識手段４２、４３、５０への迅速且つ円滑なコインＭの送り出しを確実なものとすることができる。
【手続補正７】
【補正対象書類名】明細書
【補正対象項目名】００１９
【補正方法】変更
【補正の内容】
【００１９】
請求項３に記載の発明は、請求項２に記載した遊技機１において、一対の傾斜側壁面４１ｄ、４１ｅ、受け壁面４１ｆおよび奥壁面４１ｇのコイン投入方向に対する各々の傾斜角は相互に異なっていることを特徴とする。
【手続補正８】
【補正対象書類名】明細書
【補正対象項目名】００２０
【補正方法】変更
【補正の内容】
【００２０】
請求項３に記載の発明は、誘導部４１ｂを構成する一対の傾斜側壁面４１ｄ、４１ｅ、受け壁面４１ｆおよび奥壁面４１ｇの各々の傾斜角を限定したものであり、これによれば、投入された各コインＭが当接する一対の傾斜側壁面４１ｄ、４１ｅ、受け壁面４１ｆおよび奥壁面４１ｇに応じて互いに異なる速度で上方から下方に移動するので、コイン供給口４１ｃへ向けたコインＭの誘導速度に差異を生じさせることができる。これにより、コインＭを誘導する壁面に応じてコイン供給口４１ｃでコインＭに作用する力のバランスが崩れ、誘導されたコインＭの円滑且つ迅速なコインＭの送り出しを確保することができる。したがって、コイン供給口４１ｃにおけるコイン詰まり等の不具合の発生頻度を低下させることができる。
【手続補正９】
【補正対象書類名】明細書
【補正対象項目名】００２１
【補正方法】変更
【補正の内容】
【００２１】
請求項４に記載の発明は、請求項１〜３に記載した遊技機１において、コイン供給口４１ｃは、コインＭの外径より若干大きい径で開口形成され、コイン投入部４１の下端部分を１枚のコインＭが通過できる程度の窮屈な形状としたことを特徴とする。
【手続補正１０】
【補正対象書類名】明細書
【補正対象項目名】００２２
【補正方法】変更
【補正の内容】
【００２２】
請求項４に記載の発明は、コイン投入部４１のコイン供給口４１ｃの構成を限定したものであり、これによれば、コイン投入口４１ａ内に投入された無秩序な姿勢状態の複数枚のコインＭを、コイン供給口４１ｃへ向けて上方から下方に移動するに従って誘導部４１ｂによって傾倒した姿勢状態にしつつ、コインＭの移動方向に１枚ずつ整列した状態で集めることができる。したがって、下流側の投入コイン認識手段４２、４３、５０には１枚ずつ順番にコインＭが供給されることになるので、投入コイン認識手段４２、４３、５０の円滑な動作を確保することができる。
【手続補正１１】
【補正対象書類名】明細書
【補正対象項目名】００２３
【補正方法】変更
【補正の内容】
【００２３】
請求項５に記載の発明は、請求項１〜４に記載した遊技機１において、誘導部４１ｂの互いに対向する側壁面４１ｄ、４１ｅ、４１ｆ、４１ｇの少なくとも一方は、コイン投入口４１ｃの辺部から下方に所定の距離だけコインＭの投入方向に対して所定の傾斜角をもって移行し、該所定の距離まで到達してから誘導部４１ｂの下端部までは該所定の傾斜角と異なる傾斜角をもって移行するようにしたことを特徴とする。
【手続補正１２】
【補正対象書類名】明細書
【補正対象項目名】００２４
【補正方法】変更
【補正の内容】
【００２４】
請求項５に記載の発明は、コイン投入部４１の誘導部４１ｂの構成を限定したものであり、これによれば、誘導部４１ｂの互いに対向する少なくとも一方の側壁面４１ｄ、４１ｅ、４１ｆ、４１ｇは、コインＭの投入方向に対して２種類の傾斜角をもって下方に向かって移行するように形成されている。これにより、投入されたコインＭをコイン供給口４１ｃに誘導する速度にさらに差異を生じさせることができ、下流側の投入コイン認識手段４２、４３、５０へコインＭを円滑に供給することができる。